(57)【要約】【課題】氏名や、生年月日や、メッセージや等の記念となる表示部を、衣装や石帯や魚帯等の表面に、刺繍や印刷手段等によって簡単に設けることができ、簡単な構成で、取扱い易く、表示部が衣装や石帯や魚帯等の表面に馴染み易く、表示部を体裁良く施せ、人形の雰囲気を損うことなく洒落た石帯や魚帯となり、表示内容を正確に認識でき、他の人形類等と差別化が図れ、商品価値も高くなり、より豪華な雰囲気を醸し出せ、外観上の体裁が良く、節句人形に最適なメモリアル表示装置を提供する。【解決手段】三月人形や五月人形等の人形に設けるメモリアル表示装置に於いて、対象者の氏名や、対象者の生年月日や、贈り主から対象者へのメッセージや、贈り主の氏名等の如き適宜表示からなる表示部６を、人形１の衣装２や石帯３や魚帯４等の表面に、適宜刺繍や印刷手段等によって形成する。【選択図】図１
0003129386.tif 000002
【実用新案登録請求の範囲】
【請求項１】
三月人形や五月人形等の人形に設けられるメモリアル表示装置に於いて、対象者の氏名や、対象者の生年月日や、贈り主から対象者へのメッセージや、贈り主の氏名等の如き適宜表示からなる表示部を、人形の衣装や石帯や魚帯等の表面に、適宜刺繍や印刷手段等によって形成したことを特徴とする節句人形用メモリアル表示装置。
【請求項２】
三月人形や五月人形等の人形に設けられるメモリアル表示装置に於いて、対象者の氏名や、対象者の生年月日や、贈り主から対象者へのメッセージや、贈り主の氏名等の如き適宜表示からなる表示部を、適宜刺繍や印刷手段等によってその表面に形成した布地状の表示片を設け、この表示片の裏面に面着部材を設け、この面着部材を介して表示片を人形の衣装や石帯や魚帯等に装着できるように形成したことを特徴とする節句人形用メモリアル表示装置。
【考案の詳細な説明】
【技術分野】
【０００１】
本考案は、例えば、初節句の時に贈られる人形（三月節句人形、五月節句人形等）に、子供（対象者）の氏名や、子供（対象者）の生年月日や、贈り主から子供（対象者）へのメッセージや、贈り主の氏名等の如き適宜表示をより簡単に施せるようにした節句人形用メモリアル表示装置に関するものである。
【背景技術】
【０００２】
従来、子供が誕生して節句を初めて迎える場合等にあっては、子供の成長と幸福を祈ると共に、子供の身代わりとなって厄を受けるという意味等から、両親や祖父母等から子供に人形類（三月節句人形、五月節句人形等）を贈ることが習慣となっている。
しかも、これらの人形類は、所定の期間飾られ、その期間以外は、収納箱等に収納して保管されることが多い。
また、前述の如き人形類にあっては、例えば、人形の顔や、人形の着物の柄等の違いによって、贈り主等を記憶するようになるが、誕生して間もない子供自身は、そのことを認識する術がなく、しかも、子供が成長したときに両親等の記憶違いや、勘違い等によって、正確な情報が伝えられない虞れ等があった。
更に、両親や祖父母等が人形類を贈る際、子供のために記念となるようなメッセージを残したいと思っても、これを実現するのに最適なものが無かった。
そこで、本願考案者は、前述の如き難点等を解消できるようにすべく特許文献１に示すような慶事物品等のメモリアルプレート装置を考案することとなった。
【０００３】
【特許文献１】実用新案登録第３１１３６３７号公報
【考案の開示】
【考案が解決しようとする課題】
【０００４】
しかしながら、本願考案者は、前述のメモリアルプレート装置に満足することなく、より簡単な構成で、取扱い易く、衣装に馴染み易く、節句人形に最適なメモリアル表示装置を提供できるようにすべく、その研究・開発を継続していたものである。
【課題を解決するための手段】
【０００５】
しかして、請求項１記載の節句人形用メモリアル表示装置にあっては、三月人形や五月人形等の人形に設けられるメモリアル表示装置に於いて、対象者の氏名や、対象者の生年月日や、贈り主から対象者へのメッセージや、贈り主の氏名等の如き適宜表示からなる表示部６を、人形１の衣装２や石帯３や魚帯４等の表面に、適宜刺繍や印刷手段等によって形成する手段を採用した。
【０００６】
また、請求項２記載の節句人形用メモリアル表示装置にあっては、三月人形や五月人形等の人形に設けられるメモリアル表示装置に於いて、対象者の氏名や、対象者の生年月日や、贈り主から対象者へのメッセージや、贈り主の氏名等の如き適宜表示からなる表示部６を、適宜刺繍や印刷手段等によってその表面に形成した布地状の表示片５を設け、この表示片５の裏面に面着部材７を設け、この面着部材７を介して表示片５を人形１の衣装２や石帯３や魚帯４等に装着できるように形成する手段を採用した。
【考案の効果】
【０００７】
従って、請求項１記載の節句人形用メモリアル表示装置によれば、子供（対象者）の氏名や、子供（対象者）の生年月日や、贈り主から子供（対象者）へのメッセージや、贈り主の氏名等の記念となるような適宜表示からなる表示部６を、人形１の衣装２や石帯３や魚帯４等の表面に、適宜刺繍や印刷手段等によって簡単に設けられるようになる。しかも、簡単な構成となり、取扱い易く、節句人形に最適なメモリアル表示装置となる。
【０００８】
更に、適宜刺繍や印刷手段等による表示部６が人形１の衣装２や石帯３や魚帯４等の表面に馴染み易くなると共に、表示部６を人形１の衣装２や石帯３や魚帯４等の表面に体裁良く施せるようになる。
【０００９】
特に、表示部６を石帯３や魚帯４等の表面に形成することで、表示部６自体が人形１の雰囲気を損うことがなく、洒落た石帯３や魚帯４となる。
【００１０】
そして、子供自身が成長した後に於いて、表示部６から適宜表示内容を正確に認識することができるようになる。すなわち、両親等の記憶違いや、勘違い等によって、誤った情報が子供に伝えられるような虞のないものとなる。
【００１１】
加えて、メモリアル表示装置自体を三月人形や五月人形等の人形に設けたことによって、他の人形類等と差別化が図れるようになり、その商品価値も高くなり、より豪華な雰囲気を醸し出すこともでき、外観上の体裁も良いものとなる。
【００１２】
また、請求項２記載の節句人形用メモリアル表示装置によれば、子供（対象者）の氏名や、子供（対象者）の生年月日や、贈り主から子供（対象者）へのメッセージや、贈り主の氏名等の記念となるような適宜表示からなる表示部６を、適宜刺繍や印刷手段等によって表示片５に簡単に設けられるようになり、しかも、この表示片５を面着部材７によって人形１の衣装２や石帯３や魚帯４等の表面に簡単に設けられるようになる。すなわち、簡単な構成となり、取扱い易く、節句人形に最適なメモリアル表示装置となる。
【００１３】
更に、表示部６が設けられた表示片５が布地状なので、人形１の衣装２や石帯３や魚帯４等に馴染み易くなると共に、表示片５を人形１の衣装２や石帯３や魚帯４等に体裁良く設けられるようになる。
【００１４】
特に、表示片５を石帯３や魚帯４等に装着できるようにすることで、表示片５の表示部６自体が人形１の雰囲気を損うことがなく、洒落た石帯３や魚帯４となる。
【００１５】
そして、子供自身が成長した後に於いて、表示片５の表示部６から適宜表示内容を正確に認識することができるようになる。すなわち、両親等の記憶違いや、勘違い等によって、誤った情報が子供に伝えられるような虞のないものとなる。
【００１６】
加えて、メモリアル表示装置自体を三月人形や五月人形等の人形に設けたことによって、他の人形類等と差別化が図れるようになり、その商品価値も高くなり、より豪華な雰囲気を醸し出すこともでき、外観上の体裁も良いものとなる。
【００１７】
それから、表示片５の裏面に面着部材７を設け、この面着部材７を介して表示片５を人形１の衣装２や石帯３や魚帯４等に装着できるように形成したので、適宜表示部６を施し易く、作業性に優れ、より取扱い易いものとなる。すなわち、表示片５の表面に、子供（対象者）の氏名や、子供（対象者）の生年月日や、贈り主から子供（対象者）へのメッセージや、贈り主の氏名等の記念となるような適宜表示からなる表示部６を形成してから、これを人形１の衣装２や石帯３や魚帯４等に装着でき、例えば、人形の販売店等に表示部６の内容を注文し、完成した表示片５を、家庭でも簡単に人形１の衣装２や石帯３や魚帯４等に装着できるようになる。
【考案を実施するための最良の形態】
【００１８】
以下、本考案を図示例に基づいて説明すると、次の通りである。
本考案の節句人形用メモリアル表示装置は、例えば、初節句の時に贈られる三月節句人形や五月節句人形等に、子供（対象者）の氏名や、子供（対象者）の生年月日や、贈り主から子供（対象者）へのメッセージや、贈り主の氏名等の如き適宜表示からなる表示部６を、簡単に施せるようにしたもので、表示部６は、適宜刺繍や印刷手段等によって形成され、これを人形１の衣装２や石帯３や魚帯４等の表面に設けて構成されるものである。
また、本考案の他の節句人形用メモリアル表示装置は、例えば、子供（対象者）の氏名や、子供（対象者）の生年月日や、贈り主から子供（対象者）へのメッセージや、贈り主の氏名等の如き適宜表示からなる表示部６を、適宜刺繍や印刷手段等によってその表面に形成した布地状の表示片５を設ける。更に、表示片５の裏面に面着部材７を設け、この面着部材７を介して表示片５を人形１の衣装２や石帯３や魚帯４等に装着できるように形成したものである。
【実施例】
【００１９】
前記人形１は、例えば、三月節句人形や五月節句人形の他に、鎧飾りや、兜飾りや、わらべ人形や、御所人形や、市松人形や、その他の人形等も含むものである。
【００２０】
前記衣装２は、その人形１に合ったものが適宜採用され、表示部６が形成される衣装２の部分としては、例えば、喪や、喪袴の後部分や、その他、目立たない背面がわが好ましい。
【００２１】
前記石帯３は、お内裏様の正装である経を止めておく帯で、例えば、この石帯３の背面がわに表示部６が設けられる。
【００２２】
前記魚帯４は、宮中へ出入りする際の符を入れるもので、石帯３の所定の位置に装着され、例えば、この魚帯４の表面に表示部６が設けられる。
【００２３】
前記表示片５は、例えば、かなり薄い横長（或いは、縦長）矩形板状を呈し、適宜布地や、柔軟な適宜複合材等で形成されている。尚、表示片５の形状は、図示例に限定されることなく適宜自由な形状を採用できるものである。
【００２４】
前記表示部６は、例えば、豪華な雰囲気を醸し出せるような適宜刺繍や、比較的簡単に形成できる適宜印刷手段等によって形成されるもので、具体的には、子供（対象者）の氏名や、子供（対象者）の生年月日や、贈り主から子供（対象者）へのメッセージや、贈り主の氏名や、家紋や、その他の適宜表示等を設けることで構成されるようになる。ところで、表示部６は、例えば、懐紙等に設けても良い。
【００２５】
前記面着部材７は、例えば、表示片５の裏面に縫着手段や接着手段等によって設けられ、人形１の衣装２や石帯３や魚帯４等に取外し可能に装着できるように構成されている。  尚、面着部材７は、面着雄部材であっても良いし、或いは、面着雌部材であっても良く、一方、人形１の衣装２の任意の位置や石帯３の表面や魚帯４の表面等に、面着雌部材や面着雄部材を縫着手段や接着手段等によって設けておき、面着部材７を介して表示片５が着脱自在に装着できるよう形成されている。
【００２６】
ところで、メモリアル表示装置の具体的構成、形状、寸法、材質、数、配設位置、人形１の具体的構成、形状、寸法、材質、衣装２の具体的構成、形状、寸法、材質、石帯３の具体的構成、形状、寸法、材質、配設位置、魚帯４の具体的構成、形状、寸法、材質、配設位置、表示片５の具体的構成、形状、寸法、材質、配設状態、表示部６の具体的構成、形状、寸法、数、配設位置、面着部材７の具体的構成、形状、寸法、材質、数、配設位置等は図示例のもの等に限定されることなく適宜自由に設定、変更できるものである。
【００２７】
本考案は前述の如く構成されており、次にその使用例について説明すると、先ず、人形の販売店等で、人形類を選択すると共に、これらが贈られる子供の氏名、子供の生年月日、子供へのメッセージ、家紋、贈り主の名前等の適宜表示内容を決定し、この表示内容を刺繍や印刷等で表現した表示部６を人形１の衣装２や石帯３や魚帯４等の任意の位置に設ける。
或いは、刺繍や印刷等で表現した表示部６を表示片５表面に形成し、この表示片５を、面着部材７を介して人形１の衣装２や石帯３や魚帯４等に取付ける。
尚、表示片５の装着に際しては、人形類の購入後に表示部６の表示内容を販売店等に注文し、この注文に応じて届けられた表示片５を、家庭で装着するようにしても良い。
【図面の簡単な説明】
【００２８】
【図１】本考案の節句人形用メモリアル表示装置の使用例を示す背面図である。
【図２】本考案の他の節句人形用メモリアル表示装置を例示する斜視図である。
【符号の説明】
【００２９】
１      人形
２      衣装
３      石帯
４      魚帯
５      表示片
６      表示部
７      面着部材
【図１】
0003129386.tif 000003
【図２】
0003129386.tif 000004
【手続補正書】
【提出日】平成18年12月6日(2006.12.6)
【手続補正１】
【補正対象書類名】実用新案登録請求の範囲
【補正対象項目名】請求項１
【補正方法】変更
【補正の内容】
【請求項１】
三月人形や五月人形等の人形の衣装や石帯や魚帯と、表示部とで構成される節句人形用メモリアル表示装置であって、前記表示部は、対象者の氏名や、対象者の生年月日や、贈り主から対象者へのメッセージや、贈り主の氏名等の如き適宜表示で構成され、この表示部は、人形の衣装や石帯や魚帯の表面に形成されると共に、適宜刺繍や印刷手段によって形成されるようにしたことを特徴とする節句人形用メモリアル表示装置。
【手続補正２】
【補正対象書類名】明細書
【補正対象項目名】０００５
【補正方法】変更
【補正の内容】
【０００５】
しかして、請求項１記載の節句人形用メモリアル表示装置にあっては、三月人形や五月人形等の人形１の衣装２や石帯３や魚帯４と、表示部６とで構成される節句人形用メモリアル表示装置であって、前記表示部６は、対象者の氏名や、対象者の生年月日や、贈り主から対象者へのメッセージや、贈り主の氏名等の如き適宜表示で構成され、この表示部６は、人形１の衣装２や石帯３や魚帯４の表面に形成されると共に、適宜刺繍や印刷手段によって形成されるようにする手段を採用した。